(57)【要約】【課題】優れたノイズ減衰特性を有するコモンモード用のフィルタ素子を提供する。【解決手段】帯状絶縁体７ｂの一方の面側において帯状絶縁体７ｂの幅方向で互いに離間して並設された信号用帯状導電体９ａ，９ｂ、および帯状絶縁体７ｂの他方の面側において帯状絶縁体７ｂの幅方向で互いに離間して並設された信号用帯状導電体９ａ，９ｂと同数の接地用帯状導電体８ａ，８ｂを帯状絶縁体７ｂを挟んで巻回することによって全体として筒状に形成されたコイル部５と、各信号用帯状導電体９ａ，９ｂの一端側にそれぞれ接続された入力端子２ａ，２ｂと、各信号用帯状導電体９ａ，９ｂの他端側にそれぞれ接続された出力端子３ａ，３ｂと、各接地用帯状導電体８ａ，８ｂを接地するための接地用端子４とを備えている。【選択図】図３
2005160058.tif 000002
【特許請求の範囲】
【請求項１】
帯状絶縁体の一方の面側において当該帯状絶縁体の幅方向で互いに離間して並設された複数の信号用帯状導電体、および前記帯状絶縁体の他方の面側において当該帯状絶縁体の幅方向で互いに離間して並設された前記信号用帯状導電体以上の数の接地用帯状導電体を当該帯状絶縁体を挟んで巻回することによって全体として筒状に形成されたコイル部と、
前記各信号用帯状導電体の一端側にそれぞれ接続された複数の入力端子と、
前記各信号用帯状導電体の他端側にそれぞれ接続された複数の出力端子と、
前記各接地用帯状導電体を接地するための接地用端子とを備えているフィルタ素子。
【請求項２】
前記各接地用帯状導電体は、前記各信号用帯状導電体にそれぞれ対応して当該信号用帯状導電体と同数並設されている請求項１記載のフィルタ素子。
【請求項３】
前記各信号用帯状導電体は、対応する前記接地用帯状導電体にのみ対向するようにそれぞれ並設されている請求項２記載のフィルタ素子。
【請求項４】
前記各信号用帯状導電体は、対応する前記接地用帯状導電体よりも幅狭に形成されて、当該接地用帯状導電体の幅内に位置するようにして配設されている請求項３記載のフィルタ素子。
【請求項５】
前記コイル部は、前記信号用帯状導電体に対して前記接地用帯状導電体が外側になるように巻回されると共に中心部に空隙が形成され、
前記各入力端子は、前記各信号用帯状導電体の外周部にそれぞれ接続されると共に前記コイル部の外周側部位からそれぞれ引き出され、
前記各出力端子は、前記各信号用帯状導電体の内周部にそれぞれ接続されると共に前記空隙を挟んで前記入力端子の引出し部位とは反対側に位置する前記コイル部の内周側部位からそれぞれ引き出され、
前記接地用端子は、前記各接地用帯状導電体の外周部を接地可能に前記出力端子の引出し部位を挟んで前記入力端子の引出し部位とは反対側に位置する前記コイル部の外周側部位から引き出されている請求項１から４のいずれかに記載のフィルタ素子。
【請求項６】
前記コイル部は、前記信号用帯状導電体に対して前記接地用帯状導電体が内側になるように巻回されると共に中心部に空隙が形成され、
前記各入力端子は、前記各信号用帯状導電体の内周部にそれぞれ接続されると共に前記コイル部の内周側部位からそれぞれ引き出され、
前記接地用端子は、前記各接地用帯状導電体の内周部を接地可能に前記空隙を挟んで前記入力端子の引出し部位とは反対側に位置する前記コイル部の内周側部位から引き出され、
前記各出力端子は、前記各信号用帯状導電体の外周部にそれぞれ接続されると共に前記接地用端子の引出し部位を挟んで前記入力端子の引出し部位とは反対側に位置する前記コイル部の外周側部位からそれぞれ引き出されている請求項１から４のいずれかに記載のフィルタ素子。
【請求項７】
信号用帯状導電体および接地用帯状導電体を帯状絶縁体を介して重ねた状態で巻回することによって全体として筒状に形成されると共に互いに磁気的に結合するよう構成された複数のコイル部と、
前記各コイル部に設けられると共に前記各信号用帯状導電体の一端側に接続された入力端子と、
前記各コイル部に設けられると共に前記各信号用帯状導電体の他端側に接続された出力端子と、
前記各コイル部に設けられると共に前記各接地用帯状導電体を接地するための接地用端子とを備えているフィルタ素子。
【請求項８】
前記複数のコイル部は、前記信号用帯状導電体に対して前記接地用帯状導電体が外側になるように巻回されると共に中心部に空隙が形成され、
前記各入力端子は、前記各信号用帯状導電体の外周部にそれぞれ接続されると共に前記コイル部の外周側部位からそれぞれ引き出され、
前記各出力端子は、前記各信号用帯状導電体の内周部にそれぞれ接続されると共に前記空隙を挟んで前記入力端子の引出し部位とは反対側に位置する当該コイル部の内周側部位からそれぞれ引き出され、
前記各接地用端子は、前記各接地用帯状導電体の外周部を接地可能に前記出力端子の引出し部位を挟んで前記入力端子の引出し部位とは反対側に位置する前記コイル部の外周側部位からそれぞれ引き出されている請求項７記載のフィルタ素子。
【請求項９】
前記複数のコイル部は、前記信号用帯状導電体に対して前記接地用帯状導電体が内側になるように巻回されると共に中心部に空隙が形成され、
前記各入力端子は、前記各信号用帯状導電体の内周部にそれぞれ接続されると共に前記コイル部の内周側部位からそれぞれ引き出され、
前記各接地用端子は、前記各接地用帯状導電体の内周部を接地可能に前記空隙を挟んで前記入力端子の引出し部位とは反対側に位置する前記コイル部の内周側部位から引き出され、
前記各出力端子は、前記各信号用帯状導電体の外周部にそれぞれ接続されると共に前記接地用端子の引出し部位を挟んで前記入力端子の引出し部位とは反対側に位置する前記コイル部の外周側部位からそれぞれ引き出されている請求項７記載のフィルタ素子。
【請求項１０】
帯状絶縁体の一方の面側において当該帯状絶縁体の幅方向で互いに離間して並設された複数の信号用帯状導電体、および前記帯状絶縁体の他方の面側において当該帯状絶縁体の幅方向で互いに離間して並設された前記信号用帯状導電体以上の数の接地用帯状導電体を当該帯状絶縁体を挟んで巻回することによって全体として筒状に形成されたコイル部を備え、
前記各信号用帯状導電体の一端側に入力部位がそれぞれ規定されると共に、他端側に出力部位がそれぞれ規定され、
前記各接地用帯状導電体に一つの接地部位がそれぞれ規定されているフィルタ素子。
【請求項１１】
前記各接地用帯状導電体は、前記各信号用帯状導電体にそれぞれ対応して当該信号用帯状導電体と同数並設されている請求項１０記載のフィルタ素子。
【請求項１２】
前記各信号用帯状導電体は、対応する前記接地用帯状導電体にのみ対向するようにそれぞれ並設されている請求項１１記載のフィルタ素子。
【請求項１３】
前記各信号用帯状導電体は、対応する前記接地用帯状導電体よりも幅狭に形成されて、当該接地用帯状導電体の幅内に位置するようにして配設されている請求項１２記載のフィルタ素子。
【請求項１４】
前記各入力部位は、前記各信号用帯状導電体の外周部にそれぞれ規定され、
前記各出力部位は、前記コイル部の中心軸を挟んで前記各入力部位に対して反対側に位置する前記各信号用帯状導電体の内周部にそれぞれ規定され、
前記各接地部位は、前記出力部位を挟んで前記入力部位とは反対側に位置する前記各接地用帯状導電体の外周部にそれぞれ規定されている請求項１０から１３のいずれかに記載のフィルタ素子。
【請求項１５】
前記各入力部位は、前記各信号用帯状導電体の内周部にそれぞれ規定され、
前記各接地部位は、前記コイル部の中心軸を挟んで前記入力部位とは反対側に位置する前記各接地用帯状導電体の内周部にそれぞれ規定され、
前記各出力部位は、前記各接地部位を挟んで前記入力部位とは反対側に位置する前記各信号用帯状導電体の外周部にそれぞれ規定されている請求項１０から１３のいずれかに記載のフィルタ素子。
【請求項１６】
信号用帯状導電体および接地用帯状導電体を帯状絶縁体を介して重ねた状態で巻回することによって全体として筒状に形成されると共に互いに磁気的に結合するよう構成された複数のコイル部を備え、
前記各コイル部における前記各信号用帯状導電体の一端側に入力部位がそれぞれ規定されると共に他端側に出力部位がそれぞれ規定され、
前記各コイル部における前記各接地用帯状導電体に一つの接地部位がそれぞれ規定されているフィルタ素子。
【請求項１７】
前記各入力部位は、前記各コイル部における前記各信号用帯状導電体の外周部にそれぞれ規定され、
前記各出力部位は、前記各コイル部の中心軸を挟んで前記各入力部位に対して反対側に位置する前記各信号用帯状導電体の内周部にそれぞれ規定され、
前記各接地部位は、前記各出力部位を挟んで前記各入力部位とは反対側に位置する前記各接地用帯状導電体の外周部にそれぞれ規定されている請求項１６記載のフィルタ素子。
【請求項１８】
前記各入力部位は、前記各コイル部における前記各信号用帯状導電体の内周部にそれぞれ規定され、
前記各接地部位は、前記各コイル部の中心軸を挟んで前記各入力部位とは反対側に位置する前記各接地用帯状導電体の内周部にそれぞれ規定され、
前記各出力部位は、前記各接地部位を挟んで前記各入力部位とは反対側に位置する前記各信号用帯状導電体の外周部にそれぞれ規定されている請求項１６記載のフィルタ素子。
【発明の詳細な説明】
【技術分野】
【０００１】
本発明は、帯状絶縁体に帯状導電体を重ねた状態で巻回して構成されたフィルタ素子に関するものである。
【背景技術】
【０００２】
この種のフィルタ素子として、特許第２８２６３２０号公報において開示されたフィルタ素子が知られている。このフィルタ素子は、複数枚の帯状導電体（通電用および接地用の帯状導電体）を、高誘電率の誘電体シートを介して、磁性または非磁性巻枠あるいは空心に巻き回して形成されて、３端子型ノイズフィルタ（ノーマルモード型ノイズフィルタ）として機能する。このフィルタ素子では、通電用の帯状導電体の巻始め部と巻き終わり部に接続された一対のリード間にインダクタンスが形成され、しかも通電用の帯状導電体の全長に亘り、接地用の帯状導電体との間にキャパシタンスが分布定数的に形成される。したがって、このフィルタ素子では、広周波帯域に亘って優れた減衰特性を実現することが可能となっている。
【特許文献１】特許第２８２６３２０号公報（第２頁）
【発明の開示】
【発明が解決しようとする課題】
【０００３】
ところで、近年では、上記のフィルタ素子と同様の構成、つまり複数枚の帯状導電体を高誘電率の誘電体シートを介して巻き回して形成した構成を備えたコモンモード用のフィルタ素子の実現が望まれている。そこで、本願発明者は、図１５に示すように、通電用の帯状導電体（信号用帯状導電体）９ａ，９ｂを２つ用いて、各信号用帯状導電体９ａ，９ｂを接地用の帯状導電体（接地用帯状導電体）８上に帯状絶縁体７ｂを介して互いに平行となるように、接地用帯状導電体８の幅方向に並設して、これらを巻き回すことにより、コモンモード用のフィルタ素子５１を作製した。しかしながら、この構造のフィルタ素子５１についてのノイズ減衰特性（一例として電源端子妨害電圧特性）を測定したところ、十分に満足な特性を実現することが困難であった。このため、本願発明者は、この種のフィルタ素子についての研究をさらに重ねた。
【０００４】
本発明は、上記の要望に鑑みてなされたものであり、優れたノイズ減衰特性を有するコモンモード用のフィルタ素子を提供することを主目的とする。
【課題を解決するための手段】
【０００５】
上記目的を達成すべく請求項１記載のフィルタ素子は、帯状絶縁体の一方の面側において当該帯状絶縁体の幅方向で互いに離間して並設された複数の信号用帯状導電体、および前記帯状絶縁体の他方の面側において当該帯状絶縁体の幅方向で互いに離間して並設された前記信号用帯状導電体以上の数の接地用帯状導電体を当該帯状絶縁体を挟んで巻回することによって全体として筒状に形成されたコイル部と、前記各信号用帯状導電体の一端側にそれぞれ接続された複数の入力端子と、前記各信号用帯状導電体の他端側にそれぞれ接続された複数の出力端子と、前記各接地用帯状導電体を接地するための接地用端子とを備えている。ここで、本発明における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。また、「端子」とは、棒状の導電体に限らず、可撓性を備えた配線ケーブル、さらには金属箔などの平板状導電体をも含むことを意味する。
【０００６】
また、請求項２記載のフィルタ素子は、請求項１記載のフィルタ素子において、前記各接地用帯状導電体は、前記各信号用帯状導電体にそれぞれ対応して当該信号用帯状導電体と同数並設されている。
【０００７】
また、請求項３記載のフィルタ素子は、請求項２記載のフィルタ素子において、前記各信号用帯状導電体は、対応する前記接地用帯状導電体にのみ対向するようにそれぞれ並設されている。
【０００８】
また、請求項４記載のフィルタ素子は、請求項３記載のフィルタ素子において、前記各信号用帯状導電体は、対応する前記接地用帯状導電体よりも幅狭に形成されて、当該接地用帯状導電体の幅内に位置するようにして配設されている。
【０００９】
また、請求項５記載のフィルタ素子は、請求項１から４のいずれかに記載のフィルタ素子において、前記コイル部は、前記信号用帯状導電体に対して前記接地用帯状導電体が外側になるように巻回されると共に中心部に空隙が形成され、前記各入力端子は、前記各信号用帯状導電体の外周部にそれぞれ接続されると共に前記コイル部の外周側部位からそれぞれ引き出され、前記各出力端子は、前記各信号用帯状導電体の内周部にそれぞれ接続されると共に前記空隙を挟んで前記入力端子の引出し部位とは反対側に位置する前記コイル部の内周側部位からそれぞれ引き出され、前記接地用端子は、前記各接地用帯状導電体の外周部を接地可能に前記出力端子の引出し部位を挟んで前記入力端子の引出し部位とは反対側に位置する前記コイル部の外周側部位から引き出されている。ここで、本発明における「内周部」とは、信号用帯状導電体または接地用帯状導電体における巻始めの数ターンに含まれる部位をいい、「外周部」とは、信号用帯状導電体または接地用帯状導電体における巻き終わりの数ターンに含まれる部位をいう。
【００１０】
また、請求項６記載のフィルタ素子は、請求項１から４のいずれかに記載のフィルタ素子において、前記コイル部は、前記信号用帯状導電体に対して前記接地用帯状導電体が内側になるように巻回されると共に中心部に空隙が形成され、前記各入力端子は、前記各信号用帯状導電体の内周部にそれぞれ接続されると共に前記コイル部の内周側部位からそれぞれ引き出され、前記接地用端子は、前記各接地用帯状導電体の内周部を接地可能に前記空隙を挟んで前記入力端子の引出し部位とは反対側に位置する前記コイル部の内周側部位から引き出され、前記各出力端子は、前記各信号用帯状導電体の外周部にそれぞれ接続されると共に前記接地用端子の引出し部位を挟んで前記入力端子の引出し部位とは反対側に位置する前記コイル部の外周側部位からそれぞれ引き出されている。
【００１１】
また、請求項７記載のフィルタ素子は、信号用帯状導電体および接地用帯状導電体を帯状絶縁体を介して重ねた状態で巻回することによって全体として筒状に形成されると共に互いに磁気的に結合するよう構成された複数のコイル部と、前記各コイル部に設けられると共に前記各信号用帯状導電体の一端側に接続された入力端子と、前記各コイル部に設けられると共に前記各信号用帯状導電体の他端側に接続された出力端子と、前記各コイル部に設けられると共に前記各接地用帯状導電体を接地するための接地用端子とを備えている。
【００１２】
また、請求項８記載のフィルタ素子は、請求項７記載のフィルタ素子において、前記複数のコイル部は、前記信号用帯状導電体に対して前記接地用帯状導電体が外側になるように巻回されると共に中心部に空隙が形成され、前記各入力端子は、前記各信号用帯状導電体の外周部にそれぞれ接続されると共に前記コイル部の外周側部位からそれぞれ引き出され、前記各出力端子は、前記各信号用帯状導電体の内周部にそれぞれ接続されると共に前記空隙を挟んで前記入力端子の引出し部位とは反対側に位置する当該コイル部の内周側部位からそれぞれ引き出され、前記各接地用端子は、前記各接地用帯状導電体の外周部を接地可能に前記出力端子の引出し部位を挟んで前記入力端子の引出し部位とは反対側に位置する前記コイル部の外周側部位からそれぞれ引き出されている。
【００１３】
また、請求項９記載のフィルタ素子は、請求項７記載のフィルタ素子において、前記複数のコイル部は、前記信号用帯状導電体に対して前記接地用帯状導電体が内側になるように巻回されると共に中心部に空隙が形成され、前記各入力端子は、前記各信号用帯状導電体の内周部にそれぞれ接続されると共に前記コイル部の内周側部位からそれぞれ引き出され、前記各接地用端子は、前記各接地用帯状導電体の内周部を接地可能に前記空隙を挟んで前記入力端子の引出し部位とは反対側に位置する前記コイル部の内周側部位から引き出され、前記各出力端子は、前記各信号用帯状導電体の外周部にそれぞれ接続されると共に前記接地用端子の引出し部位を挟んで前記入力端子の引出し部位とは反対側に位置する前記コイル部の外周側部位からそれぞれ引き出されている。
【００１４】
また、請求項１０記載のフィルタ素子は、帯状絶縁体の一方の面側において当該帯状絶縁体の幅方向で互いに離間して並設された複数の信号用帯状導電体、および前記帯状絶縁体の他方の面側において当該帯状絶縁体の幅方向で互いに離間して並設された前記信号用帯状導電体以上の数の接地用帯状導電体を当該帯状絶縁体を挟んで巻回することによって全体として筒状に形成されたコイル部を備え、前記各信号用帯状導電体の一端側に入力部位がそれぞれ規定されると共に、他端側に出力部位がそれぞれ規定され、前記各接地用帯状導電体に一つの接地部位がそれぞれ規定されている。
【００１５】
また、請求項１１記載のフィルタ素子は、請求項１０記載のフィルタ素子において、前記各接地用帯状導電体は、前記各信号用帯状導電体にそれぞれ対応して当該信号用帯状導電体と同数並設されている。
【００１６】
また、請求項１２記載のフィルタ素子は、請求項１１記載のフィルタ素子において、前記各信号用帯状導電体は、対応する前記接地用帯状導電体にのみ対向するようにそれぞれ並設されている。
【００１７】
また、請求項１３記載のフィルタ素子は、請求項１２記載のフィルタ素子において、前記各信号用帯状導電体は、対応する前記接地用帯状導電体よりも幅狭に形成されて、当該接地用帯状導電体の幅内に位置するようにして配設されている。
【００１８】
また、請求項１４記載のフィルタ素子は、請求項１０から１３のいずれかに記載のフィルタ素子において、前記各入力部位は、前記各信号用帯状導電体の外周部にそれぞれ規定され、前記各出力部位は、前記コイル部の中心軸を挟んで前記各入力部位に対して反対側に位置する前記各信号用帯状導電体の内周部にそれぞれ規定され、前記各接地部位は、前記出力部位を挟んで前記入力部位とは反対側に位置する前記各接地用帯状導電体の外周部にそれぞれ規定されている。
【００１９】
また、請求項１５記載のフィルタ素子は、請求項１０から１３のいずれかに記載のフィルタ素子において、前記各入力部位は、前記各信号用帯状導電体の内周部にそれぞれ規定され、前記各接地部位は、前記コイル部の中心軸を挟んで前記入力部位とは反対側に位置する前記各接地用帯状導電体の内周部にそれぞれ規定され、前記各出力部位は、前記各接地部位を挟んで前記入力部位とは反対側に位置する前記各信号用帯状導電体の外周部にそれぞれ規定されている。
【００２０】
また、請求項１６記載のフィルタ素子は、信号用帯状導電体および接地用帯状導電体を帯状絶縁体を介して重ねた状態で巻回することによって全体として筒状に形成されると共に互いに磁気的に結合するよう構成された複数のコイル部を備え、前記各コイル部における前記各信号用帯状導電体の一端側に入力部位がそれぞれ規定されると共に他端側に出力部位がそれぞれ規定され、前記各コイル部における前記各接地用帯状導電体に一つの接地部位がそれぞれ規定されている。
【００２１】
また、請求項１７記載のフィルタ素子は、請求項１６記載のフィルタ素子において、前記各入力部位は、前記各コイル部における前記各信号用帯状導電体の外周部にそれぞれ規定され、前記各出力部位は、前記各コイル部の中心軸を挟んで前記各入力部位に対して反対側に位置する前記各信号用帯状導電体の内周部にそれぞれ規定され、前記各接地部位は、前記各出力部位を挟んで前記各入力部位とは反対側に位置する前記各接地用帯状導電体の外周部にそれぞれ規定されている。
【００２２】
また、請求項１８記載のフィルタ素子は、請求項１６記載のフィルタ素子において、前記各入力部位は、前記各コイル部における前記各信号用帯状導電体の内周部にそれぞれ規定され、前記各接地部位は、前記各コイル部の中心軸を挟んで前記各入力部位とは反対側に位置する前記各接地用帯状導電体の内周部にそれぞれ規定され、前記各出力部位は、前記各接地部位を挟んで前記各入力部位とは反対側に位置する前記各信号用帯状導電体の外周部にそれぞれ規定されている。
【発明の効果】
【００２３】
請求項１および１０記載のフィルタ素子によれば、複数の信号用帯状導電体、および信号用帯状導電体以上の数の接地用帯状導電体を帯状絶縁体を挟んで巻回することによって全体として筒状に形成されたコイル部を備え、各接地用帯状導電体を一箇所で接続して接地するようにしたことにより、一の信号用帯状導電体と容量的に結合する接地用帯状導電体と、他の信号用帯状導電体と容量的に結合する接地用帯状導電体とは、接地用端子を介してのみ互いに直流的に接続された構成になる。このため、各接地用帯状導電体が一枚の帯状導電体で形成されて一対の信号用帯状導電体の双方と容量的に結合する構成と比較して、各接地用帯状導電体間に生じる交流的な電位差を大きくすることができる結果、一の信号用帯状導電体と他の信号用帯状導電体とが各接地用帯状導電体を介して容量的に結合する度合いを低減できる。したがって、優れたノイズ減衰特性を有するコモンモード用のフィルタ素子を実現することができる。
【００２４】
また、請求項２および１１記載のフィルタ素子によれば、各信号用帯状導電体にそれぞれ対応して各接地用帯状導電体を接地用帯状導電体と同数並設したことにより、一の信号用帯状導電体を主としてこの一の信号用帯状導電体に対応する接地用帯状導電体と容量的に結合させるようにすることができ、かつ他の接地用帯状導電体との間の結合容量を低減させることができる。このため、接地用帯状導電体を介して一の信号用帯状導電体と他の信号用帯状導電体とが容量的に結合することを回避できる結果、一層優れたノイズ減衰特性を有するコモンモード用のフィルタ素子を実現することができる。
【００２５】
また、請求項３および１２記載のフィルタ素子によれば、対応する接地用帯状導電体にのみ対向するように各信号用帯状導電体をそれぞれ並設したことにより、一の信号用帯状導電体が他の信号用帯状導電体に対応する接地用帯状導電体と直接的に容量的に結合することを確実に防止することができる。このため、接地用帯状導電体を介して一の信号用帯状導電体と他の信号用帯状導電体とが容量的に結合することを一層確実に回避できる結果、さらに優れた減衰特性を有するコモンモード用のフィルタ素子を実現することができる。
【００２６】
また、請求項４および１３記載のフィルタ素子によれば、各信号用帯状導電体が対応する接地用帯状導電体よりも幅狭に形成されて接地用帯状導電体の幅内に位置するようにして配設されていることにより、巻回された状態において、各信号用帯状導電体間に常に接地用帯状導電体を介在させることができる。したがって、この接地用帯状導電体がシールド効果を奏するため、信号用帯状導電体を伝搬する信号自体の相互干渉を低減することができる結果、より一層優れたノイズ減衰特性を有するコモンモード用のフィルタ素子を実現することができる。
【００２７】
また、請求項５，６，１４および１５記載のフィルタ素子によれば、少なくとも複数の入力端子、複数の出力端子および接地用端子の各引出し位置、または入力端子が接続される入力部位、出力端子が接続される出力部位、および接地用端子が接続される接地部位を規定したことにより、所定の周波数帯域において大きな減衰量を確保することができ、この結果、優れた減衰特性を有するコモンモード用のフィルタ素子を実現することができる。
【００２８】
また、請求項７および１６記載のフィルタ素子によれば、信号用帯状導電体および接地用帯状導電体を帯状絶縁体を介して重ねた状態で巻回することによって全体として筒状に形成されると共に互いに磁気的に結合するよう構成された複数のコイル部を備え、各コイル部において各接地用帯状導電体を一箇所でそれぞれ接続して接地するようにしたことにより、１種類のコイル部を複数組み合わせるだけで、請求項１記載のフィルタ素子と同様の効果を奏する多相（例えば３相等）の伝送線路用のコモンモード用のフィルタ素子を容易に実現することができる。また、接地用帯状導電体を介して一の信号用帯状導電体と他の信号用帯状導電体とが容量的に結合する度合いを大幅に低減することができる結果、優れた減衰特性を有するコモンモード用のフィルタ素子を実現することができる。
【００２９】
また、請求項８，９，１７，１８記載のフィルタ素子によれば、少なくとも複数の入力端子、複数の出力端子および接地用端子の各引出し位置、または入力端子が接続される入力部位、出力端子が接続される出力部位、および接地用端子が接続される接地部位を規定したことにより、所定の周波数帯域において大きな減衰量を確保することができ、この結果、優れた減衰特性を有するコモンモード用のフィルタ素子を実現することができる。
【発明を実施するための最良の形態】
【００３０】
以下、添付図面を参照して、本発明に係るフィルタ素子について説明する。
【００３１】
最初に、フィルタ素子１について、図面を参照して説明する。
【００３２】
フィルタ素子１は、図１に示すように、複数本（一例として２本）の入力端子２ａ，２ｂ（以下、特に区別しないときは「入力端子２」ともいう）、入力端子２と同数（２本）の出力端子３ａ，３ｂ（以下、特に区別しないときは「出力端子３」ともいう）、接地用端子４、コイル部５および柱状（一例として円柱状）の磁性体（磁性コア）６を備えて構成されて、分布定数型の５端子型ノイズフィルタ（低域通過型のコモンモードフィルタ）として機能する。
【００３３】
コイル部５は、図３に示すように、例えば、同じ幅に形成された２つの帯状絶縁体７ａ，７ｂ（以下、特に区別しないときは「帯状絶縁体７」ともいう）、入力端子２と同数（２本）の接地用帯状導電体８ａ，８ｂ（以下、特に区別しないときは「接地用帯状導電体８」ともいう）、および入力端子２と同数（２本）の信号用帯状導電体９ａ，９ｂ（以下、特に区別しないときは「信号用帯状導電体９」ともいう）を備えて構成されている。各帯状絶縁体７は、誘電性および電気的絶縁性を有する材料（ポリイミド、ポリエチレン、絶縁紙など）を用いて、同じ幅、同じ長さで、かつ均一な厚みに構成されている。各接地用帯状導電体８は、例えば、同じ幅、同じ長さで、かつ均一な厚みに設定されると共に、帯状絶縁体７ａの上に、帯状絶縁体７ａにおける幅方向で互いに離間して、かつ平行に並設されている。また、各接地用帯状導電体８は、その一端側（巻き終わり端側、具体的には最外周部となる一端側）において互いに接続されると共に、この一端側に接地用端子４の一端側が電気的に接続されている。具体的には、接地用端子４は、各接地用帯状導電体８の最外周部にそれぞれ規定された接地部位に接続されている。帯状絶縁体７ｂは、各接地用帯状導電体８を帯状絶縁体７ａとの間で挟み込むようにして帯状絶縁体７ａの上に重ねられている。ここで、「最外周部」とは、接地用帯状導電体８や信号用帯状導電体９における巻き終わりの１ターンに含まれる部位をいう。
【００３４】
一方、各信号用帯状導電体９は、例えば、同じ幅、同じ長さで、かつ均一な厚みに設定されると共に、図３に示すように、帯状絶縁体７ｂの上において、帯状絶縁体７ｂにおける幅方向で互いに離間して、かつ平行に並設されている。この場合、各信号用帯状導電体９は、図４に示すように、その幅が各接地用帯状導電体８よりも幅狭に形成されている。また、信号用帯状導電体９ａは、同図に示すように、対応する接地用帯状導電体８ａの幅Ｗ内に位置するようにして配設されている。これにより、信号用帯状導電体９ａは、帯状絶縁体７ｂを介して接地用帯状導電体８ａにのみ対向した状態で配設されている。同様にして、信号用帯状導電体９ｂも、対応する接地用帯状導電体８ｂの幅Ｗ内に位置するようにして配設されて、帯状絶縁体７ｂを介して接地用帯状導電体８ｂにのみ対向した状態になっている。また、各信号用帯状導電体９ａ，９ｂは、図３に示すように、その一端側（巻き終わり端側、具体的には最外周部となる一端側）に入力端子２ａ，２ｂの一端側が電気的にそれぞれ接続されると共に、その他端側（巻始め端側、具体的には最内周部となる他端側）に出力端子３ａ，３ｂの一端側が電気的にそれぞれ接続されて構成されている。具体的には、各入力端子２ａ，２ｂは、各信号用帯状導電体９ａ，９ｂの最外周部にそれぞれ規定された入力部位に接続され、他方、各出力端子３ａ，３ｂは、各信号用帯状導電体９ａ，９ｂの最内周部にそれぞれ規定された出力部位に接続されている。ここで、「最内周部」とは、接地用帯状導電体８や信号用帯状導電体９における巻始めの１ターンに含まれる部位をいう。この構成により、帯状絶縁体７ｂを基準としたときに、その一方の面（図４における上面）側には、各信号用帯状導電体９ａ，９ｂが配設され、その他方の面（同図における下面）側には、各接地用帯状導電体８ａ，８ｂが互いに重ねられた状態で配設されている。コイル部５は、このように互いに重ねられた各帯状絶縁体７、各接地用帯状導電体８、および各信号用帯状導電体９を、各導電体８，９の他端側を巻き始めとして、かつ各信号用帯状導電体９に対して各接地用帯状導電体８が外側となるように巻回することにより、全体として図１に示すように、筒状（中心部に空隙Ｈが形成された円筒状）に形成されている。磁性コア６は、この空隙Ｈ内に装着されて、コイル部５の中心部に配設されている。
【００３５】
この場合、各入力端子２が接続される各信号用帯状導電体９の一端側（具体的には、そのうちの最外周部）はコイル部５の外周側に位置して、各入力端子２は、図１に示すように、コイル部５の一方の端面（同図中の上端面）における外周側部位（図２中の引出し部位Ａ）からそれぞれ引き出されている。また、各信号用帯状導電体９の最外周部の入力部位に接続された各入力端子２は、図３に示すように、帯状絶縁体７ｂの幅方向に沿ってコイル部５の一方の端面側に直線的に引き出される。このため、図２に示すように、コイル部５を一方の端面側から見た状態において、各入力端子２の引出し部位Ａと各信号用帯状導電体９の最外周部に規定された入力部位とはほぼ一致する。
【００３６】
他方、各出力端子３が接続される各信号用帯状導電体９の他端側（具体的には、そのうちの最内周部）はコイル部５の中心側（内周側）に位置して、各出力端子３は、図１に示すように、コイル部５の一方の端面における中心（内周）側部位（図２中の引出し部位Ｂ）からそれぞれ引き出されている。ここで、各出力端子３の引出し部位Ｂは、図２に示すように、コイル部５の中心軸Ｏと各入力端子２の引出し部位Ａとを含む仮想平面Ｌ（以下、「平面Ｌ」ともいう）上であって、中心軸Ｏ（空隙Ｈ、言い換えれば磁性コア６）を挟んで引出し部位Ａとは反対側に設定されている。また、各出力端子３についても上記した各入力端子２の場合と同様にして、帯状絶縁体７ｂの幅方向に沿ってコイル部５の一方の端面側に直線的に引き出されるため、図２に示すように、コイル部５を一方の端面側から見た状態において、各出力端子３の引出し部位Ｂと各信号用帯状導電体９の最内周部に規定された出力部位とはほぼ一致する。
【００３７】
また、接地用端子４が接続される各接地用帯状導電体８における一端側（具体的には、そのうちの最外周部）はコイル部５の外周側に位置して、接地用端子４は、図１に示すように、コイル部５の一方の端面における外周側部位（図２中の引出し部位Ｃ）から引き出されている。具体的には、接地用端子４の引出し部位Ｃは、図２に示すように、平面Ｌ上であって、引出し部位Ｂを挟んで引出し部位Ａとは反対側に設定されている。また、接地用端子４についても上記した各入力端子２の場合と同様にして、図３に示すように、帯状絶縁体７ａの幅方向に沿ってコイル部５の一方の端面側に直線的に引き出される。このため、図２に示すように、コイル部５を一方の端面側から見た状態において、接地用端子４の引出し部位Ｃと各接地用帯状導電体８の最外周部に規定された接地部位とはほぼ一致する。ここで、本発明における入力端子２等の「引出し部位」とは、入力端子２等がコイル部５から突出するコイル部５の表面における部位をいう。
【００３８】
このフィルタ素子１によれば、帯状絶縁体７ｂの一方の面側において帯状絶縁体７ｂの幅方向で互いに離間して並設された２本の信号用帯状導電体９、および帯状絶縁体７ｂの他方の面側において各信号用帯状導電体９にそれぞれ対応して帯状絶縁体７ｂの幅方向で互いに離間して並設された２本の接地用帯状導電体８を帯状絶縁体７ｂを挟んで各信号用帯状導電体９に対して各接地用帯状導電体８が外側となるように巻回することによって全体として筒状に形成されたコイル部５とを備え、各信号用帯状導電体９の一端側（最外周部）に規定された入力部位に各入力端子２をそれぞれ接続してコイル部５の外周側部位（引出し部位Ａ）からそれぞれ引き出し、かつ各信号用帯状導電体９の他端側（最内周部）に規定された出力部位に各出力端子３をそれぞれ接続すると共に空隙Ｈを挟んで各入力端子２の引出し部位Ａとは反対側に位置する引出し部位Ｂ（コイル部５の中心側部位）から各出力端子３をそれぞれ引き出し、各接地用帯状導電体８の一端側（最外周部）に規定された接地部位に接地用端子４を接続すると共に引出し部位Ｂを挟んで引出し部位Ａとは反対側に位置する引出し部位Ｃ（コイル部５の外周側部位）から引き出したことにより、信号用帯状導電体９ａを主としてこの信号用帯状導電体９ａに対応する接地用帯状導電体８ａと容量的に結合させると共に、信号用帯状導電体９ｂを主としてこの信号用帯状導電体９ｂに対応する接地用帯状導電体８ｂと容量的に結合させることができる。このため、信号用帯状導電体９ａと接地用帯状導電体８ｂとの間の結合容量および信号用帯状導電体９ｂと接地用帯状導電体８ａとの間の結合容量を低減させることができる。また、各接地用帯状導電体８をその一端側（最外周部）においてのみ接続したことにより、各接地用帯状導電体８を介して一の信号用帯状導電体９ａと他の信号用帯状導電体９ｂとが容量的に結合する度合いを軽減することができる結果、コモンモードノイズに対して優れた減衰特性を有するコモンモード用のフィルタ素子を実現することができる。また、信号用帯状導電体９の引出し部位Ａ（入力部位）および引出し部位Ｂ（出力部位）の位置と、接地用帯状導電体８の引出し部位Ｃ（接地部位）の位置とを上記のように規定したことにより、所定の周波数帯域において大きな減衰量を確保することができる結果、優れた減衰特性を有するコモンモード用のフィルタ素子を実現することができる。
【００３９】
また、このフィルタ素子１によれば、各信号用帯状導電体９を対応する各接地用帯状導電体８にのみ対向するようにそれぞれ並設したことにより、一の信号用帯状導電体９ａと、他の信号用帯状導電体９ｂに対応する接地用帯状導電体８ｂとの容量的な結合、および他の信号用帯状導電体９ｂと、一の信号用帯状導電体９ａに対応する接地用帯状導電体８ａとの容量的な結合をそれぞれ大幅に低減することができる。このため、各接地用帯状導電体８を介して一の信号用帯状導電体９ａと他の信号用帯状導電体９ｂとが容量的に結合することを一層確実に回避できる結果、さらに優れた減衰特性を有するコモンモード用のフィルタ素子を実現することができる。
【００４０】
さらに、このフィルタ素子１によれば、各信号用帯状導電体９を対応する接地用帯状導電体８よりも幅狭に形成して接地用帯状導電体８の幅内に位置するようにして配設したことにより、巻回された状態において、各信号用帯状導電体９間に常に接地用帯状導電体８を介在させることができる。したがって、この接地用帯状導電体８がシールド効果を奏するため、信号用帯状導電体９を伝搬する信号自体の相互干渉を低減することができる結果、より一層優れた減衰特性を有するコモンモード用のフィルタ素子を実現することができる。
【００４１】
なお、本発明は、上記した構成に限定されない。例えば、上述したフィルタ素子１では、図１，３に示すように、２本の接地用帯状導電体８と２本の信号用帯状導電体９とを備えたコイル部５を用いることによって２相の伝送線路に対するコモンモード用のフィルタ素子に構成した例について説明したが、３本以上の接地用帯状導電体８および信号用帯状導電体９で構成したコイル部を用いてコモンモード用のフィルタ素子を構成することもできる。例えば、図５に示すフィルタ素子１１は、３本の接地用帯状導電体８ａ，８ｂ，８ｃ（以下、特に区別しないときは「接地用帯状導電体８」ともいう）および３本の信号用帯状導電体９ａ，９ｂ，９ｃ（以下、特に区別しないときは「信号用帯状導電体９」ともいう）を用いて構成されたコイル部１５を備えて、３相の伝送線路に対するコモンモード用のフィルタ素子として構成されている。このフィルタ素子１１では、同図に示すように、各接地用帯状導電体８の一端側（巻き終わり端側、具体的には最外周部となる一端側）を互いに接続して、この一端側に１本の接地用端子４を接続して構成されている。具体的には、接地用端子４は、各接地用帯状導電体８の最外周部にそれぞれ規定された接地部位に接続されている。また、各信号用帯状導電体９ａ，９ｂ，９ｃは、その一端側（巻き終わり端側、具体的には最外周部となる一端側）に入力端子２ａ，２ｂ，２ｃ（以下、特に区別しないときは「入力端子２」ともいう）の一端側が電気的にそれぞれ接続されると共に、その他端側（巻始め端側、具体的には最内周部となる他端側）に出力端子３ａ，３ｂ，３ｃ（以下、特に区別しないときは「出力端子３」ともいう）の一端側が電気的にそれぞれ接続されている。具体的には、各入力端子２は、各信号用帯状導電体９の最外周部にそれぞれ規定された入力部位に接続され、他方、各出力端子３は、各信号用帯状導電体９の最内周部にそれぞれ規定された出力部位に接続されている。また、各入力端子２、各出力端子３および接地用端子４は、フィルタ素子１と同様にして、図２に示す引出し部位Ａ，Ｂ，Ｃからそれぞれ引き出されている。なお、フィルタ素子１と同一の構成については、同一の符号を付して重複する説明を省略する。
【００４２】
また、上述したフィルタ素子１，１１では、図３，５に示すように、各接地用帯状導電体８の一端側（巻き終わり側）を互いに接続し、この一端側に１本の接地用端子４を接続した例について説明したが、各接地用帯状導電体８の一端側（巻き終わり側）にそれぞれ別個の接地用端子４の一端側を接続する構成を採用することもできる。フィルタ素子１を例に挙げて説明すると、図６に示すように、各接地用帯状導電体８の一端側（巻き終わり側）にそれぞれ接地用端子４ａ，４ｂの一端側を接続することもできる。また、上述したフィルタ素子１，１１では、図１，５に示すように、各入力端子２、各出力端子３および接地用端子４を、コイル部５，１５の同一端面（同図では上端面）のみから引き出す構成（各引出し部位Ａ，Ｂ，Ｃをコイル部５，１５の同一端面上に配設する構成）を採用したが、各入力端子２、各出力端子３および接地用端子４は、コイル部の中心軸Ｏを含む平面Ｌ上から引き出されていればよいため、各入力端子２、各出力端子３および接地用端子４のうちの一部の端子を他の端子とは逆の端面（同図では下端面）から引き出す構成（各引出し部位Ａ，Ｂ，Ｃのうちの一部を他とは逆の端面上に配設する構成）を採用することもできる。また、上述したフィルタ素子１，１１では、各信号用帯状導電体９を、対応する接地用帯状導電体８よりも幅狭に形成して接地用帯状導電体８の幅内に位置するようにして配設した好ましい例について説明したが、各信号用帯状導電体９を、対応する接地用帯状導電体８の幅内から若干はみ出すように配設してもよいし、さらには、各信号用帯状導電体９を、対応する接地用帯状導電体８よりも幅広に形成することもできる。また、上述したフィルタ素子１，１１では、コイル部５の空隙Ｈ内に磁性コア６を装着した例について説明したが、磁性コア６を装着することなく、コイル部５を空芯コイルとして構成することもできる。
【００４３】
また、上述したフィルタ素子１，１１では、各信号用帯状導電体９ａ，９ｂにそれぞれ対応する各接地用帯状導電体８ａ，８ｂを１つの帯状導電体で構成した例について説明したが、図７に示すように、各接地用帯状導電体８ａ，８ｂを複数の帯状導電体Ｄでそれぞれ構成することもできる。また、上述したフィルタ素子１，１１では、信号用帯状導電体９と同数の接地用帯状導電体８を配設する例について説明したが、信号用帯状導電体９よりも多くの接地用帯状導電体８を配設する構成を採用することもできる。
【００４４】
また、上述したフィルタ素子１，１１では、一つの帯状絶縁体７ａ上に各接地用帯状導電体８を並設すると共に、一つの帯状絶縁体７ｂ上に各信号用帯状導電体９を並設して構成したコイル部５，１５を備えた例について説明したが、図８に示すフィルタ素子２１のように、図９に示すような一つの帯状絶縁体７ａ上に１つの接地用帯状導電体８ａを配設すると共に、一つの帯状絶縁体７ｂ上に一つの信号用帯状導電体９ａを配設して構成したコイル部２５を複数（一例として２つ）用いて、その複数のコイル部２５を磁性コア６を介して互いに磁気的に結合させてフィルタ素子を構成することもできる。この場合、各コイル部２５を構成する各接地用帯状導電体８および各信号用帯状導電体９の磁性コア６に対するそれぞれの巻回方向は同一方向となるように構成する。また、各入力端子２ａ，２ｂ、各出力端子３ａ，３ｂおよび各接地用端子４ａ，４ｂは、フィルタ素子１と同様にして、各コイル部２５における信号用帯状導電体９の各一端側（具体的には最外周部となる一端側の入力部位）、信号用帯状導電体９の各他端側（具体的には最内周部となる他端側の出力部位）、および接地用帯状導電体８の一端側（具体的には最外周部となる一端側の接地部位）にそれぞれ接続されると共に、図２に示す引出し部位Ａ，Ｂ，Ｃからそれぞれ引き出されている。また、図８に示すフィルタ素子２１では、一例として、同図中の上側のコイル部２５についてはその上端面から、また同図中の下側のコイル部２５についてはその下端面から、各入力端子２ａ，２ｂ、各出力端子３ａ，３ｂおよび各接地用端子４ａ，４ｂがそれぞれ引き出されている。なお、フィルタ素子１と同一の構成については、同一の符号を付して重複する説明を省略する。
【００４５】
このフィルタ素子２１によれば、独立した２つのコイル部２５を用いたことにより、一方のコイル部２５の信号用帯状導電体９と他方のコイル部２５の接地用帯状導電体８との間の結合容量、および一方のコイル部２５の接地用帯状導電体８と他方のコイル部２５の信号用帯状導電体９との間の結合容量をそれぞれ低減させることができる。したがって、フィルタ素子１と同様にして、各コイル部２５の信号用帯状導電体９同士が互いに容量的に結合する度合いを軽減することができる結果、コモンモードノイズに対して優れた減衰特性を有するコモンモード用のフィルタ素子を実現することができる。また、１種類のコイル部２５を複数組み合わせるだけで、例えば、２相および３相等の多相の伝送線路のためのコモンモード用のフィルタ素子を容易に実現することができる。
【００４６】
また、上述したフィルタ素子２１では、図８に示すように、２つのコイル部２５を磁性コア６を介して磁気的に結合させる例について説明したが、同図に示す柱状の磁性コア６に代えて、ＣＩ型コアや、ＥＩ型コア、さらにはトロイダル型コアを用いることもできる。また、磁性コア６を取り除くと共に、互いの中心軸Ｏを一致させた状態で各コイル部２５を互いに近接して配設する構成を採用することもできる。このようにして互いに近接させることにより、空芯状態であったとしても各コイル部２５，２５同士を磁気的に結合させることができるため、上記したフィルタ素子２１と同様にして、コモンモードノイズに対して優れた減衰特性を有するコモンモード用のフィルタ素子を実現することができる。
【００４７】
また、上述したフィルタ素子１，１１，２１では、信号用帯状導電体９に対して接地用帯状導電体８を外側に配設してコイル部５，１５，２５を構成する例について説明したが、信号用帯状導電体９に対して接地用帯状導電体８を内側に配設してコイル部を構成することもできる。一例として、フィルタ素子１のコイル部５と同一の構成要素を備えると共に、信号用帯状導電体９に対して接地用帯状導電体８を内側に配設したコイル部３５を備えたフィルタ素子３１について図１０，１１を参照して説明する。なお、フィルタ素子１と同一の構成要素については同一の符号を付して重複する説明を省略する。
【００４８】
コイル部３５は、互いに重ねられた各帯状絶縁体７、各接地用帯状導電体８、および各信号用帯状導電体９を、各導電体８，９の一端側を巻き始めとして、かつ各信号用帯状導電体９に対して各接地用帯状導電体８が内側となるように巻回することにより、全体として図１０に示すように、筒状（中心部に空隙Ｈが形成された円筒状）に形成されている。また、空隙Ｈ内には、磁性コア６が装着されている。この場合、各入力端子２が接続される各信号用帯状導電体９の一端側（巻始め端側、具体的には最内周部となる一端側）はコイル部５の中心側（内周側）に位置して、各入力端子２は、各信号用帯状導電体９の最内周部に規定された入力部位に接続されると共に、図１０に示すように、コイル部５の一方の端面（同図中の上端面）における中心（内周）側部位（図１１中の引出し部位Ａ）からそれぞれ引き出されている。また、接地用端子４が接続される各接地用帯状導電体８における一端側（巻始め端側、具体的には最内周部となる一端側）はコイル部５の中心側（内周側）に位置して、接地用端子４は、各接地用帯状導電体８の最内周部に規定された接地部位に接続されると共に、図１０に示すように、コイル部５の一方の端面における中心（内周）側部位（図１１中の引出し部位Ｃ）から引き出されている。ここで、接地用端子４の引出し部位Ｃは、同図に示すように、コイル部５の中心軸Ｏと各入力端子２の引出し部位Ａとを含む平面Ｌ上であって、中心軸Ｏ（空隙Ｈ、言い換えれば磁性コア６）を挟んで引出し部位Ａとは反対側に設定されている。一方、各出力端子３が接続される各信号用帯状導電体９の他端側（巻き終わり端側、具体的には最外周部となる他端側）はコイル部５の外周側に位置して、各出力端子３は、各信号用帯状導電体９の最外周部に規定された出力部位に接続されると共に、図１０に示すように、コイル部５の一方の端面における外周側部位（図１１中の引出し部位Ｂ）からそれぞれ引き出されている。具体的には、各出力端子３の引出し部位Ｂは、図１１に示すように、平面Ｌ上であって、引出し部位Ｃを挟んで引出し部位Ａとは反対側に設定されている。このフィルタ素子３１でも、上記したフィルタ素子１と同様にして、コモンモードノイズに対して優れた減衰特性を有するコモンモード用のフィルタ素子を実現することができる。なお、各信号用帯状導電体９に対して各接地用帯状導電体８が内側となるように巻回すると共に、各入力端子２、接地用端子４および各出力端子３を図１１に示す位置から引き出す構成は、フィルタ素子１１やフィルタ素子２１に対しても適用できることは勿論である。
【００４９】
また、上記した各フィルタ素子１，１１，２１，３１では、入力端子２、出力端子３および接地用端子４を、対応する信号用帯状導電体９および接地用帯状導電体８の最内周部（巻始めの１ターンに含まれる部位）または最外周部（巻き終わりの１ターンに含まれる部位）に規定された入力部位Ａ、出力部位Ｂおよび接地部位Ｃに接続したが、これに限定されずに、例えば、対応する信号用帯状導電体９および接地用帯状導電体８の内周部（巻始めの数ターンに含まれる部位）または外周部（巻き終わりの数ターンに含まれる部位）に入力部位Ａ、出力部位Ｂおよび接地部位Ｃをそれぞれ規定して、入力端子２、出力端子３および接地用端子４を接続することもできる。
【００５０】
また、上記した各フィルタ素子１，１１，２１，３１では、帯状絶縁体７ａが最も外側になるように各コイル部５，１５，２５，３５を形成したが、信号用帯状導電体９に対して接地用帯状導電体８が外側に位置するコイル部５，１５，２５，３５を備えたフィルタ素子１，１１，２１，３１については、接地用帯状導電体８と帯状絶縁体７ａとの位置を入れ替えることにより、接地用帯状導電体８の最外周部がコイル部の最外周に位置するように構成することもできる。このようにして構成したフィルタ素子によれば、コイル部の最外周に接地用帯状導電体８の最外周部が露出するため、例えば接地用帯状導電体８をプリント基板のグランド電位に直接接続することで確実かつ容易に接地することが可能となる。一例として、図１４に示すフィルタ素子１Ａは、フィルタ素子１のコイル部５をベースとして、接地用帯状導電体８が最外周に位置するように構成されたコイル部５Ａを備えて構成されている。このフィルタ素子１Ａでは、図３において、帯状絶縁体７ａと各接地用帯状導電体８の位置を逆にし、帯状絶縁体７ｂと各信号用帯状導電体９との位置を逆にした状態で、各接地用帯状導電体８を最も外側にして巻回することによってコイル部５Ａが形成されている。また、図示はしないが、フィルタ素子１Ａと同様にして、接地用帯状導電体８に対して信号用帯状導電体９が外側に位置するコイル部を備えたフィルタ素子については、信号用帯状導電体９の最外周部がコイル部の最外周に位置するように構成することもできる。
【００５１】
具体的に、実施例を挙げて、本発明を詳細に説明する。一例として、フィルタ素子１についての実施例を挙げて説明する。
【００５２】
材質がポリイミド、幅が１．７ｃｍ、厚みが３５μｍ、長さが１５０ｃｍの絶縁シートを各帯状絶縁体７として用いて、また材質がＣｕ、幅が０．５０ｃｍ、厚みが３５μｍ、長さが１５０ｃｍの薄肉金属板を各接地用帯状導電体８として用いて、さらに材質がＣｕ、幅が０．４５ｃｍ、厚みが３５μｍ、長さが１５０ｃｍの薄肉金属板を各信号用帯状導電体９として用いて、これらを積層した（重ねた）状態で、円柱状の磁性コア６に３５回巻回することにより、各信号用帯状導電体９のインダクタンスが１０ｋＨｚにて８ｍＨとなるフィルタ素子のサンプルを作製して実施例とした。また、上記した実施例で用いた各接地用帯状導電体８に代えて、材質がＣｕ、幅が１．５ｃｍ、厚みが３５μｍ、長さが１５０ｃｍの薄肉金属板１枚を接地用帯状導電体として用いてフィルタ素子のサンプルを作製して比較例とした。
【００５３】
次いで、実施例および比較例に係るフィルタ素子のノイズ減衰特性を測定した。一例として、各フィルタ素子を伝送線路の一例としての電子機器の電源ラインにそれぞれ装着した状態での電源端子妨害電圧をノイズ規格の測定方法に従って測定した。実施例および比較例に係るフィルタ素子を装着した状態において測定された各電源端子妨害電圧特性（ノイズ減衰特性）を図１２および図１３にそれぞれ示す。
【００５４】
図１２，１３に示す各電源端子妨害電圧特性図によれば、比較例に係るフィルタ素子を装着した場合、図１３に示すように、電源端子妨害電圧の規格におけるクラスＢ（平均値）の限度値（同図中において破線で示す）を最大で約１０ｄＢμＶオーバーしている。これに対して、実施例に係るフィルタ素子を装着した場合、図１２に示すように、この限度値（同図中において破線で示す）以下に電源端子妨害電圧が抑制されている。
【図面の簡単な説明】
【００５５】
【図１】フィルタ素子１の構成を示す斜視図である。
【図２】入力端子２、出力端子３および接地用端子４の各引出し部位Ａ，Ｂ，Ｃを示すためにフィルタ素子１（１１，２１）を一方の端面から見た平面図である。
【図３】フィルタ素子１の構成を示すために、各帯状絶縁体７、各接地用帯状導電体８および各信号用帯状導電体９の一端側を巻き解いた状態のフィルタ素子１の斜視図である。
【図４】各帯状絶縁体７、各接地用帯状導電体８および各信号用帯状導電体９の積層状態を示すこれらの幅方向に沿った断面図である。
【図５】フィルタ素子１１の構成を示すために、各帯状絶縁体７、各接地用帯状導電体８および各信号用帯状導電体９の一端側を巻き解いた状態のフィルタ素子１１の斜視図である。
【図６】各接地用帯状導電体８に対する接地用端子４の他の取付け構造を示す接地用帯状導電体８ａ，８ｂの一端側の拡大図である。
【図７】各接地用帯状導電体８の他の構成を示す各帯状絶縁体７、各接地用帯状導電体８および各信号用帯状導電体９の幅方向に沿った断面図である。
【図８】フィルタ素子２１の構成を示す斜視図である。
【図９】コイル部２５の構成を示すために、各帯状絶縁体７、接地用帯状導電体８および信号用帯状導電体９の一端側を巻き解いた状態のコイル部２５の斜視図である。
【図１０】フィルタ素子３１の構成を示す斜視図である。
【図１１】入力端子２、出力端子３および接地用端子４の各引出し部位Ａ，Ｂ，Ｃを示すためにフィルタ素子３１を一方の端面から見た平面図である。
【図１２】実施例に係るフィルタ素子の周波数と電源端子妨害電圧との関係を示す電源端子妨害電圧特性図である。
【図１３】比較例に係るフィルタ素子の周波数と電源端子妨害電圧との関係を示す電源端子妨害電圧特性図である。
【図１４】フィルタ素子１Ａの構成を示す斜視図である。
【図１５】発明者が開発したフィルタ素子５１の構成を示すために、各帯状絶縁体７、接地用帯状導電体８および各信号用帯状導電体９の一端側を巻き解いた状態のフィルタ素子５１の斜視図である。
【符号の説明】
【００５６】
１，１Ａ，１１，２１，３１  フィルタ素子
２ａ，２ｂ，２ｃ  入力端子
３ａ，３ｂ，３ｃ  出力端子
４ａ，４ｂ  接地用端子
５，５Ａ，１５，２５，３５  コイル部
６  磁性コア
７ａ，７ｂ  帯状絶縁体
８ａ，８ｂ，８ｃ  接地用帯状導電体
９ａ，９ｂ，９ｃ  信号用帯状導電体
Ｈ  空隙
【図１】
2005160058.tif 000003
【図２】
2005160058.tif 000004
【図３】
2005160058.tif 000005
【図４】
2005160058.tif 000006
【図５】
2005160058.tif 000007
【図６】
2005160058.tif 000008
【図７】
2005160058.tif 000009
【図８】
2005160058.tif 000010
【図９】
2005160058.tif 000011
【図１０】
2005160058.tif 000012
【図１１】
2005160058.tif 000013
【図１２】
2005160058.tif 000014
【図１３】
2005160058.tif 000015
【図１４】
2005160058.tif 000016
【図１５】
2005160058.tif 000017